(57)【要約】【課題】利用者が指定しなくても、原稿画像に含まれる複数の選択肢画像の各々に対応する選択肢領域を設定できるようにすること。【解決手段】基準アンケート画像取得部（２１）は、複数の選択肢画像を含む基準アンケート画像を取得する。アンケート画像取得部（２３）は、上記複数の選択肢画像と、追記画像と、を含む複数のアンケート画像を取得する。追記領域特定部（２５）は、アンケート画像ごとに、当該アンケート画像と基準アンケート画像との比較結果に基づいて、追記画像を含む追記領域を特定する。選択肢領域設定部（２７）は、アンケート画像ごとに特定された追記領域の座標情報に基づいて、各選択肢画像に対応する選択肢領域を設定する。【選択図】図３
2012043263.tif 000002
【特許請求の範囲】
【請求項１】
複数の選択肢画像を含む基準原稿画像を取得する基準原稿画像取得手段と、
前記複数の選択肢画像と、前記複数の選択肢画像に対応する追記画像と、を含む複数種の原稿画像を取得する原稿画像取得手段と、
前記原稿画像ごとに、当該原稿画像と前記基準原稿画像との比較結果に基づいて、前記追記画像を含む追記領域を特定する追記領域特定手段と、
前記追記領域特定手段が前記原稿画像ごとに特定した追記領域の座標情報に基づいて、前記複数の選択肢画像の各々に対応する選択肢領域を設定する設定手段と、
を含む画像処理システム。
【請求項２】
前記設定手段により設定された選択肢領域ごとに、当該選択肢領域と予め定められた位置関係を有する追記領域の数を計数する計数手段、
をさらに含むことを特徴とする請求項１に記載の画像処理システム。
【請求項３】
前記基準原稿画像取得手段は、
前記複数の原稿画像の平均画像を生成することによって、前記平均画像を前記基準原稿画像として取得すること、
を特徴とする請求項１又は２に記載の画像処理システム。
【請求項４】
複数の選択肢画像を含む基準原稿画像を取得する基準原稿画像取得手段、
前記複数の選択肢画像と、前記複数の選択肢画像に対応する追記画像と、を含む複数種の原稿画像を取得する原稿画像取得手段、
前記原稿画像ごとに、当該原稿画像と前記基準原稿画像との比較結果に基づいて、前記追記画像を含む追記領域を特定する追記領域特定手段、
前記追記領域特定手段が前記原稿画像ごとに特定した追記領域の座標情報に基づいて、前記複数の選択肢画像の各々に対応する選択肢領域を設定する設定手段、
としてコンピュータを機能させるプログラム。
【発明の詳細な説明】
【技術分野】
【０００１】
本発明は、画像処理システム及びプログラムに関する。
【背景技術】
【０００２】
下記、特許文献１には、マークシート形式のアンケートを集計する技術が開示されている。
【先行技術文献】
【特許文献】
【０００３】
【特許文献１】特開２００３−２５６６１０号公報
【発明の概要】
【発明が解決しようとする課題】
【０００４】
本発明の目的は、利用者が指定しなくても、原稿画像に含まれる複数の選択肢画像の各々に対応する選択肢領域を設定できるようにすることである。
【課題を解決するための手段】
【０００５】
上記課題を解決するための請求項１の発明は、複数の選択肢画像を含む基準原稿画像を取得する基準原稿画像取得手段と、前記複数の選択肢画像と、前記複数の選択肢画像に対応する追記画像と、を含む複数種の原稿画像を取得する原稿画像取得手段と、前記原稿画像ごとに、当該原稿画像と前記基準原稿画像との比較結果に基づいて、前記追記画像を含む追記領域を特定する追記領域特定手段と、前記追記領域特定手段が前記原稿画像ごとに特定した追記領域の座標情報に基づいて、前記複数の選択肢画像の各々に対応する選択肢領域を設定する設定手段と、を含む画像処理システムである。
【０００６】
請求項２の発明は、請求項１の発明において、前記設定手段により設定された選択肢領域ごとに、当該選択肢領域と予め定められた位置関係を有する追記領域の数を計数する計数手段、をさらに含むことを特徴とする。
【０００７】
また、請求項３の発明は、請求項１又は請求項２の発明において、前記基準原稿画像取得手段は、前記複数の原稿画像の平均画像を生成することによって、前記平均画像を前記基準原稿画像として取得することを特徴とする。
【０００８】
また、上記課題を解決するための請求項４の発明は、複数の選択肢画像を含む基準原稿画像を取得する基準原稿画像取得手段、前記複数の選択肢画像と、前記複数の選択肢画像に対応する追記画像と、を含む複数種の原稿画像を取得する原稿画像取得手段、前記原稿画像ごとに、当該原稿画像と前記基準原稿画像との比較結果に基づいて、前記追記画像を含む追記領域を特定する追記領域特定手段、前記追記領域特定手段が前記原稿画像ごとに特定した追記領域の座標情報に基づいて、前記複数の選択肢画像の各々に対応する選択肢領域を設定する設定手段、としてコンピュータを機能させるプログラムである。
【発明の効果】
【０００９】
請求項１、請求項４の発明によれば、利用者が指定しなくても、原稿画像に含まれる複数の選択肢画像の各々に対応する選択肢領域を設定できるようになる。
【００１０】
請求項２の発明によれば、利用者が各選択肢領域を指定しておかなくても、各選択肢が選択された回数を計数することができるようになる。
【００１１】
請求項３の発明によれば、複数の原稿画像から基準原稿画像を生成することができるようになる。
【図面の簡単な説明】
【００１２】
【図１】本発明に係る画像処理システムの構成の例を示す図である。
【図２】配布予定のアンケート用紙を例示する図である。
【図３】画像処理システムで実現される機能群を例示する機能ブロック図である。
【図４】基準アンケート画像を例示する図である。
【図５Ａ】アンケート画像を例示する図である。
【図５Ｂ】アンケート画像を例示する図である。
【図６】選択肢領域について説明するための図である。
【図７Ａ】アンケート画像と基準アンケート画像との差分画像の二値画像の例を示す図である。
【図７Ｂ】アンケート画像と基準アンケート画像との差分画像の二値画像の例を示す図である。
【図７Ｃ】アンケート画像と基準アンケート画像との差分画像の二値画像の例を示す図である。
【図８】候補領域の設定方法を説明するための図である。
【図９】ハードディスクに記憶される情報を例示する図である。
【図１０】選択肢領域ごとの計数結果を例示する図である。
【発明を実施するための形態】
【００１３】
以下、本発明の実施形態の例について図面に基づき詳細に説明する。
【００１４】
［画像処理システム］
図１は、本発明に係る画像処理システム１の構成の例を示す図である。本実施形態の場合、画像処理システム１は、制御部４と、主記憶６と、ハードディスク８と、操作入力部１０と、画像読取部１２と、を備える画像処理装置２として実現される。
【００１５】
［画像処理装置］
制御部４は、例えばマイクロプロセッサであり、主記憶６に記憶されるプログラムに従って情報処理を実行する。
【００１６】
主記憶６は、例えばＲＡＭである。主記憶６には上記プログラムが格納される。このプログラムは、フレキシブルディスク、ＣＤ−ＲＯＭ、ＤＶＤ（登録商標）−ＲＯＭ、磁気テープ、ハードディスク、ＭＯ、ＭＤ、ＩＣカード等のコンピュータ読取可能な情報記憶媒体から読み出されて主記憶６に格納されてもよいし、インターネットなどの通信ネットワーク等の通信網から供給されて主記憶６に格納されてもよい。
【００１７】
また、主記憶６には情報処理の過程で必要となる各種データも格納される。
【００１８】
ハードディスク８は、補助記憶装置として用いられる記憶媒体であり、各種情報が格納される。ハードディスク８の記憶内容については後述する。
【００１９】
操作入力部１０は、ユーザが操作入力を行うためのインタフェースであり、ユーザの操作内容を示す信号を制御部４に出力する。
【００２０】
画像読取部１２は、例えば、自動原稿送り装置を備えたスキャナである。画像読取部１２は、自動原稿送り装置から搬送される原稿の表面をスキャンし、原稿の表面の像を示す画像を、制御部４に出力する。なお、本実施形態の場合、アンケート用紙（後述する図２参照）が原稿として用いられる。
【００２１】
なお、画像処理装置２は、制御部４から出力される情報を表示するディスプレイ（不図示）、及び画像処理装置２をネットワークに接続するためのネットワークインタフェース（不図示）なども備えている。
【００２２】
［画像処理装置の利用形態］
この画像処理装置２は、セミナーを開催する開催者によりアンケート集計のために用いられる。開催者は、セミナーを開催する前に、当該セミナーの出席者に配布する予定のアンケート用紙の画像を登録する。具体的には、開催者は、登録指示操作を行って、配布予定のアンケート用紙を画像処理装置２にスキャンさせる。その結果として、配布予定のアンケート用紙の画像が基準アンケート画像としてハードディスク８に格納される。
【００２３】
図２は、配布予定のアンケート用紙を例示する図である。同図に示すように、アンケート用紙には、複数の設問パート１４が設けられている。具体的には、アンケート用紙には、設問パート１４Ａ，１４Ｂ，１４Ｃ，１４Ｄが設けられている。
【００２４】
設問パート１４Ａには、セミナーの受講日に関する設問が記載されている。また、設問パート１４Ａには、セミナー受講日に関する選択肢が記載されている。「９」及び「１０」のそれぞれが選択肢に相当する。出席者は、自身のセミナー受講日を示す選択肢を選択する。具体的には、出席者は、自身のセミナー受講日を示す選択肢の付近に選択マークを記入する。
【００２５】
設問パート１４Ｂには、出席者の性別に関する設問が記載されている。また、設問パート１４Ｂには、出席者の性別に関する選択肢が記載されている。「男」及び「女」のそれぞれが選択肢に相当する。出席者は、自身の性別を示す選択肢を選択する。具体的には、出席者は、自身の性別を示す選択肢の付近に選択マークを記入する。
【００２６】
設問パート１４Ｃには、セミナーの受講目的に関する設問が記載されている。また、設問パート１４Ｃには、セミナーの受講目的に関する選択肢が記載されている。各チェックボックス１６が選択肢に相当する。上から一番目のチェックボックス１６は、「目的１」を選択するためのチェックボックスであり、上から二番目のチェックボックス１６は、「目的２」を選択するためのチェックボックスであり、上から三番目のチェックボックス１６は、「その他」を選択するためのチェックボックスである。出席者は、自身の受講目的に対応するチェックボックス１６を選択する。具体的には、出席者は、自身の受講目的に対応するチェックボックス１６の付近に選択マークを記入する。
【００２７】
設問パート１４Ｄには、セミナーの満足度に関する設問が記載されている。また、設問パート１４Ｄには、セミナーの満足度に関する選択肢が記載されている。「大変満足」、「満足」、及び「不満」のそれぞれが選択肢に相当する。出席者は、自身の満足度を示す選択肢を選択する。具体的には、出席者は、自身の満足度を示す選択肢の付近に選択マークを記入する。
【００２８】
図２に示すアンケート用紙は、セミナーの開催時にセミナーの出席者に配布される。各出席者は、アンケート用紙に記入を行う。
【００２９】
セミナーの終了後、開催者は、アンケート用紙を回収する。そして、開催者は、アンケート集計のための作業を行う。すなわち、開催者は、集計指示操作を行って、記入済みのアンケート用紙の各々を画像処理装置２にスキャンさせる。画像処理装置２では、画像読取部１２によって読み取られた各アンケート用紙の画像に基づいて制御部４によりアンケート集計に関する処理が行われ、集計結果がディスプレイに出力される。
【００３０】
［機能ブロック］
図３は、画像処理システム１で実現される機能群を例示する機能ブロック図である。図３に示す機能群は、制御部４が上記プログラムに従って動作することによって実現される。
【００３１】
［基準アンケート画像取得部］
基準アンケート画像取得部２１は、複数の選択肢画像を含む基準アンケート画像を取得する。本実施形態の場合、基準アンケート画像取得部２１は、ハードディスク８から基準アンケート画像を読み出して取得する。
【００３２】
図４は、基準アンケート画像を例示する図である。同図に示すように、設問パート１４Ａには、複数の選択肢画像１８Ａが含まれる。具体的には、設問パート１４Ａには、選択肢「９」を表す選択肢画像１８Ａと、選択肢「１０」を表す選択肢画像１８Ａと、が含まれる。
【００３３】
また、設問パート１４Ｂには、複数の選択肢画像１８Ｂが含まれる。具体的には、設問パート１４Ｂには、選択肢「男」を表す選択肢画像１８Ｂと、選択肢「女」を表す選択肢画像１８Ｂと、が含まれる。
【００３４】
また、設問パート１４Ｃには、複数の選択肢画像１８Ｃが含まれる。具体的には、設問パート１４Ｃには、上から一番目のチェックボックス１６を表す選択肢画像１８Ｃと、上から二番目のチェックボックス１６を表す選択肢画像１８Ｃと、上から三番目のチェックボックス１６を表す選択肢画像１８Ｃと、が含まれる。
【００３５】
また、設問パート１４Ｄには、複数の選択肢画像１８Ｄが含まれる。具体的には、設問パート１４Ｄには、選択肢「大変満足」を表す選択肢画像１８Ｄと、選択肢「満足」を表す選択肢画像１８Ｄと、選択肢「不満」を表す選択肢画像１８Ｄと、が含まれる。
【００３６】
なお、基準アンケート画像には、Ｘ座標軸と、Ｙ座標軸と、が設定されている。Ｘ座標値と、Ｙ座標値と、により位置が特定される。
【００３７】
以下、選択肢画像１８Ａ，１８Ｂ，１８Ｃ，１８Ｄを総称して、「選択肢画像１８」と記載する場合がある。
【００３８】
［アンケート画像取得部］
アンケート画像取得部２３は、複数の選択肢画像と、当該複数の選択肢画像に対応する追記画像と、を含む複数種のアンケート画像を取得する。本実施形態の場合、アンケート画像取得部２３は、画像読取部１２から、記入済みのアンケート用紙の各々の画像を取得する。記入済みのアンケート用紙の画像の一つ一つが、アンケート画像に相当する。
【００３９】
図５Ａ及び図５Ｂのぞれぞれは、アンケート画像取得部２３によって取得されたアンケート画像を例示する図である。例えば、図５Ａは、出席者Ａから回収されたアンケート用紙の画像であり、図５Ｂは、出席者Ｂから回収されたアンケート用紙の画像である。アンケート画像にも、Ｘ座標軸と、Ｙ座標軸と、が設定されており、Ｘ座標値と、Ｙ座標値と、により位置が特定されるようになっている。
【００４０】
図５Ａ及び図５Ｂに示すように、設問パート１４Ａには、複数の選択肢画像１８Ａが含まれる。また、設問パート１４Ａには、選択マークを表す追記画像２０Ａも含まれる。図５Ａでは、選択肢「９」を表す選択肢画像１８Ａ付近に追記画像２０Ａが位置し、図５Ｂでは、選択肢「１０」を表す選択肢画像１８Ａ付近に追記画像２０Ａが位置している。
【００４１】
また、設問パート１４Ｂには、複数の選択肢画像１８Ｂが含まれる。また、設問パート１４Ｂには、選択マークを表す追記画像２０Ｂも含まれる。図５Ａでは、選択肢「女」を表す選択肢画像１８Ｂ付近に追記画像２０Ｂが位置し、図５Ｂでは、選択肢「男」を表す選択肢画像１８Ｂ付近に追記画像２０Ｂが位置している。
【００４２】
また、設問パート１４Ｃには、複数の選択肢画像１８Ｃが含まれる。また、設問パート１４Ｃには、選択マークを表す追記画像２０Ｃも含まれる。図５Ａでは、上から三番目のチェックボックス１６を表す選択肢画像１８Ｃ付近に追記画像２０Ｃが位置し、図５Ｂでは、上から二番目のチェックボックス１６を表す選択肢画像１８Ｃ付近に追記画像２０Ｃが位置している。
【００４３】
また、設問パート１４Ｄには、複数の選択肢画像１８Ｄが含まれる。また、設問パート１４Ｄには、選択マークを表す追記画像２０Ｄも含まれる。図５Ａでは、選択肢「大変満足」を表す選択肢画像１８Ｄ付近に追記画像２０Ｄが位置し、図５Ｂでは、選択肢「満足」を表す選択肢画像１８Ｄ付近に追記画像２０Ｄが位置している。
【００４４】
以下、追記画像２０Ａ，２０Ｂ，２０Ｃ，２０Ｄを総称して、「追記画像２０」と記載する場合がある。
【００４５】
こうして取得された、基準アンケート画像と複数のアンケート画像と、に基づき、追記領域特定部２５及び選択肢領域設定部２７のそれぞれの機能によって、複数の選択肢画像１８Ａの各々に対応する選択肢領域が設定される。より詳しくは、各選択肢領域の座標範囲が設定される。
【００４６】
また、複数の選択肢画像１８Ｂの各々に対応する選択肢領域も設定される。また、複数の選択肢画像１８Ｃの各々に対応する選択肢領域も設定される。また、複数の選択肢画像１８Ｄの各々に対応する選択肢領域も設定される。
【００４７】
図６は、選択肢領域について説明するための図である。点線で囲まれる選択肢領域３０Ａの各々は、一の選択肢画像１８Ａ（図４、図５Ａ、及び図５Ｂ参照）に対応している。具体的には、左側の選択肢領域３０Ａは、選択肢「９」を表す選択肢画像１８Ａに対応し、右側の選択肢領域３０Ａは、選択肢「１０」を表す選択肢画像１８Ａに対応している。
【００４８】
なお、同図では、左側の選択肢領域３０ＡのＸ軸方向の座標範囲は、「Ｘ１」以上「Ｘ２」以下であり、Ｙ軸方向の座標範囲は、「Ｙ１」以上「Ｙ２」以下となっている。一方、右側の選択肢領域３０ＡのＸ軸方向の座標範囲は、「Ｘ５」以上「Ｘ６」以下であり、Ｙ軸方向の座標範囲は、「Ｙ１」以上「Ｙ２」以下となっている。
【００４９】
また、点線で囲まれる選択肢領域３０Ｂの各々は、一の選択肢画像１８Ｂ（図４、図５Ａ、及び図５Ｂ参照）に対応している。具体的には、左側の選択肢領域３０Ｂは、選択肢「男」を表す選択肢画像１８Ｂに対応し、右側の選択肢領域３０Ｂは、選択肢「女」を表す選択肢画像１８Ｂに対応している。
【００５０】
また、点線で囲まれる選択肢領域３０Ｃの各々は、一の選択肢画像１８Ｃ（図４、図５Ａ、及び図５Ｂ参照）に対応している。具体的には、上から一番目の選択肢領域３０Ｃは、上から一番目の選択肢画像１８Ｃに対応し、上から二番目の選択肢領域３０Ｃは、上から二番目の選択肢画像１８Ｃに対応し、上から三番目の選択肢領域３０Ｃは、上から三番目の選択肢画像１８Ｃに対応している。
【００５１】
また、点線で囲まれる選択肢領域３０Ｄの各々は、一の選択肢画像１８Ｄ（図４、図５Ａ、及び図５Ｂ参照）に対応している。具体的には、左から一番目の選択肢領域３０Ｄは、選択肢「大変満足」を表す選択肢画像１８Ｄに対応し、左から二番目の選択肢領域３０Ｄは、選択肢「満足」を表す選択肢画像１８Ｄに対応し、左から三番目の選択肢領域３０Ｄは、選択肢「不満」を表す選択肢画像１８Ｄに対応している。
【００５２】
以下、選択肢領域３０Ａ，３０Ｂ，３０Ｃ，３０Ｄを総称して、「選択肢領域３０」と記載する場合がある。
【００５３】
以下、追記領域特定部２５の機能について説明した後、選択肢領域設定部２７の機能について説明する。
【００５４】
［追記領域特定部］
追記領域特定部２５は、アンケート画像ごとに、当該アンケート画像と基準アンケート画像と、の比較結果に基づいて、追記画像２０Ａを含む追記領域を特定する。また、追記領域特定部２５は、アンケート画像ごとに、追記画像２０Ｂを含む追記領域も特定する。また、追記領域特定部２５は、アンケート画像ごとに、追記画像２０Ｃを含む追記領域も特定する。また、追記領域特定部２５は、アンケート画像ごとに、追記画像２０Ｄを含む追記領域も特定する。つまり、追記領域特定部２５は、アンケート画像ごとに、追記画像２０Ａを含む追記領域、追記画像２０Ｂを含む追記領域、追記画像２０Ｃを含む追記領域、及び追記画像２０Ｄを含む追記領域、からなる４つの追記領域を特定する。
【００５５】
具体的には、比較部２５Ａが、アンケート画像ごとに、当該アンケート画像と基準アンケート画像とを比較する。すなわち、比較部２５Ａは、アンケート画像ごとに、当該アンケート画像と基準アンケート画像と、の差分画像を生成する。本実施形態の場合、比較部２５Ａは、最初のアンケート画像から順番に、基準アンケート画像との差分画像を生成する。
【００５６】
そして、特定部２５Ｂが、差分画像が生成されるごとに、当該差分画像に基づいて、追記領域を特定し、当該追記領域の座標範囲をハードディスク８に記憶する。ここでは、追記画像２０に外接する矩形形状の領域が追記領域として特定される。
【００５７】
図７Ａは、第１のアンケート画像と基準アンケート画像との差分画像の二値画像の例を示し、図７Ｂは、第２のアンケート画像と基準アンケート画像との差分画像の二値画像の例を示し、図７Ｃは、第３のアンケート画像と基準アンケート画像との差分画像の二値画像の例を示す。ここでは、設問パート１４Ａを含む部分が示されている。
【００５８】
特定部２５Ｂは、二値画像を解析することによって有意な画素の画素塊４０を特定し、特定した画素塊に外接する矩形領域を追記領域４２として特定する。点線で示される領域が追記領域４２を示している。より詳しくは、点線で示される領域は、追記画像２０Ａ（図５Ａ及び図５Ｂ参照）を含む追記領域４２を示している。図７Ａでは、Ｘ軸方向の座標範囲が「Ｘ１」以上「Ｘ３」以下であり、且つ、Ｙ軸方向の座標範囲が「Ｙ１」以上「Ｙ２」以下である領域が追記領域４２として特定されている。図７Ｂでは、Ｘ軸方向の座標範囲が「Ｘ４」以上「Ｘ２」以下であり、且つ、Ｙ軸方向の座標範囲が「Ｙ１」以上「Ｙ２」以下である領域が追記領域４２として特定されている。図７Ｃでは、Ｘ軸方向の座標範囲が「Ｘ５」以上「Ｘ６」以下であり、且つ、Ｙ軸方向の座標範囲が「Ｙ１」以上「Ｙ２」以下である領域が追記領域４２として特定されている。
【００５９】
［選択肢領域設定部］
こうして、アンケート画像ごとに追記領域４２が特定されると、選択肢領域設定部２７が、アンケート画像ごとに特定された追記領域４２の座標範囲に基づいて、各選択肢画像１８Ａに対応する上記選択肢領域３０Ａを設定する。また、選択肢領域設定部２７は、各選択肢画像１８Ｂに対応する上記選択肢領域３０Ｂを設定する。また、選択肢領域設定部２７は、各選択肢画像１８Ｃに対応する上記選択肢領域３０Ｃを設定する。また、選択肢領域設定部２７は、各選択肢画像１８Ｄに対応する上記選択肢領域３０Ｄを設定する。
【００６０】
以下、選択肢領域設定部２７の機能について詳細に説明する。
【００６１】
すなわち、選択肢領域設定部２７は、まず、各選択肢領域３０の候補となる候補領域の座標範囲を設定する。具体的には、選択肢領域設定部２７は、各追記領域４２をグループ分けする。その結果、一の追記領域４２からなる単独グループと、複数の追記領域４２からなる共同グループと、が生成される。なお、選択肢領域設定部２７は、共同グループに含まれる追記領域４２が当該共同グループに含まれる他のいずれかの追記領域４２と少なくとも一部が抵触するように、グループ分けを行う。
【００６２】
そして、選択肢領域設定部２７は、グループ分けの結果に基づいて、各選択肢領域３０の候補領域を設定する。こうして、選択肢領域設定部２７は、一のグループから一の候補領域を設定する。すなわち、選択肢領域設定部２７は、一の単独グループに含まれる追記領域４２自身を一の候補領域として設定する。また、選択肢領域設定部２７は、一の共同グループに含まれる追記領域４２が統合された領域を一の候補領域として設定する。
【００６３】
図８は、候補領域の設定方法を説明するための図である。ここでは、図７Ａ〜図７Ｃの各々で示される追記領域４２が特定された場合を例に取り上げる。この場合、図８の上の図で示されるように、図７Ａで示される追記領域４２と、図７Ｂで示される追記領域４２と、からなる共同グループが生成される。また、図７Ｃで示される追記領域４２のみからなる単独グループが生成される。
【００６４】
そして、図８の下の図で示されるように、共同グループから一の候補領域６０が設定され、単独グループから一の候補領域６０が設定される。具体的には、図７Ｃで示される追記領域４２自身が一の候補領域６０（右側の候補領域６０）として設定される。また、図７Ａで示される追記領域４２と、図７Ｂで示される追記領域４２と、が統合された領域が一の候補領域６０（左側の候補領域６０）として設定される。
【００６５】
なお、図８に示すように、左側の候補領域６０は、Ｘ軸方向の座標範囲が「Ｘ１」以上「Ｘ２」以下であり、且つ、Ｙ軸方向の座標範囲が「Ｙ１」以上「Ｙ２」以下となっている。
【００６６】
こうして各候補領域６０を設定すると、選択肢領域設定部２７は、各候補領域６０に基づいて、各選択肢領域３０を設定する。また、選択肢領域設定部２７は、各選択肢領域３０の座標範囲をハードディスク８に記憶する。
【００６７】
例えば、選択肢領域設定部２７は、ハードディスク８から、予め記憶されている記号列リストを読み出す。記号列リストには、少なくとも一つの記号又は文字からなる記号列が複数格納されている。ここでは、記号列リストには、記号列「９」と、記号列「１０」と、記号列「男」と、記号列「女」と、記号列「□」と、記号列「大変満足」と、記号列「満足」と、記号列「不満」と、が格納されている。
【００６８】
そして、選択肢領域設定部２７は、ＯＣＲ処理、パターンマッチング処理、又は投影処理を行いながら、候補領域６０の一つ一つをいずれかの記号列の画像（言い換えれば、当該いずれかの記号列を表す選択肢画像１８）が含まれるように拡大し、拡大した候補領域６０の一つ一つを選択肢領域３０として設定する。また、各選択肢領域３０の座標範囲をハードディスク８に記憶する。
【００６９】
なお、記号列「９」の画像を含む選択肢領域３０と、記号列「１０」の画像を含む選択肢領域３０と、がそれぞれ、選択肢領域３０Ａ（図６参照）となる。また、記号列「男」の画像を含む選択肢領域３０と、記号列「女」の画像を含む選択肢領域３０と、がそれぞれ、選択肢領域３０Ｂ（図６参照）となる。また、記号列「□」の画像を含む３つの選択肢領域３０が、それぞれ、選択肢領域３０Ｃ（図６参照）となる。また、記号列「大変満足」の画像を含む選択肢領域３０と、記号列「満足」の画像を含む選択肢領域３０と、記号列「不満」の画像を含む選択肢領域３０と、がそれぞれ、選択肢領域３０Ｄ（図６参照）となる。
【００７０】
なお、選択肢領域設定部２７は、選択肢領域３０の座標範囲に関連づけて、当該選択肢領域３０に含まれる記号列を当該選択肢領域３０の領域名（識別情報）としてハードディスク８に記憶することも行う。図９に、選択肢領域設定部２７により、ハードディスク８に記憶される情報を例示した。
【００７１】
［集計部］
こうして選択肢領域設定部２７が各選択肢領域３０を設定したら、集計部２９は、選択肢領域３０Ａごとに、当該選択肢領域３０Ａと予め定められた位置関係を有する追記領域４２の数を計数する。また、集計部２９は、選択肢領域３０Ｂごとに、当該選択肢領域３０Ｂと予め定められた位置関係を有する追記領域４２の数を計数する。集計部２９は、選択肢領域３０Ｃごとに、当該選択肢領域３０Ｃと予め定められた位置関係を有する追記領域４２の数を計数する。集計部２９は、選択肢領域３０Ｄごとに、当該選択肢領域３０Ｄと予め定められた位置関係を有する追記領域４２の数を計数する。
【００７２】
つまり、集計部２９は、図９に示す情報を参照しながら、選択肢領域３０ごとに、当該選択肢領域３０と予め定められた位置関係を有する追記領域４２の数を計数する。具体的には、集計部２９は、選択肢領域３０ごとに、当該選択肢領域３０に少なくとも一部が含まれる追記領域４２の数を計数する。
【００７３】
集計部２９による選択肢領域３０ごとの計数結果は、アンケート集計の結果としてディスプレイに表示されることとなる。なお、図１０に、選択肢領域３０ごとの計数結果を例示した。
【００７４】
なお、本発明の実施形態は上記実施形態だけに限らない。
【００７５】
例えば、基準アンケート画像取得部２１は、アンケート画像取得部２３によって取得された複数のアンケート画像の平均画像を生成することによって、当該平均画像を基準アンケート画像として取得してもよい。
【００７６】
また、例えば、選択肢領域設定部２７は、候補領域６０を拡大せずにそのまま選択肢領域３０として設定してもよい。この場合、例えば、選択肢領域設定部２７は、ＯＣＲ処理を行うことによって選択肢領域３０に含まれる画像から記号列を読み出し、読み出した記号列を当該選択肢領域３０の領域名（識別情報）としてハードディスク８に記憶するようにすればよい。
【００７７】
また、例えば、画像読取部１２は、画像処理装置２の外部に設けられていてもよい。この場合、画像処理システム１は、画像読取部１２と、画像処理装置２と、で構成される。
【００７８】
また、例えば、基準アンケート画像と、アンケート画像と、はそれぞれ異なる画像読取手段によって読み取られた画像であってよい。
【符号の説明】
【００７９】
１  画像処理システム、２  画像処理装置、４  制御部、６  主記憶、８  ハードディスク、１０  操作入力部、１２  画像読取部、１４，１４Ａ，１４Ｂ，１４Ｃ，１４Ｄ  設問パート、１６  チェックボックス、１８，１８Ａ，１８Ｂ，１８Ｃ，１８Ｄ  選択肢画像、２０，２０Ａ，２０Ｂ，２０Ｃ，２０Ｄ  追記画像、２１  基準アンケート画像取得部、２３  アンケート画像取得部、２５  追記領域特定部、２５Ａ  比較部、２５Ｂ  特定部、２７  選択肢領域設定部、２９  集計部、３０，３０Ａ，３０Ｂ，３０Ｃ，３０Ｄ  選択肢領域、４０  画素塊、４２  追記領域、６０  候補領域。
【図１】
2012043263.tif 000003
【図２】
2012043263.tif 000004
【図３】
2012043263.tif 000005
【図４】
2012043263.tif 000006
【図５Ａ】
2012043263.tif 000007
【図５Ｂ】
2012043263.tif 000008
【図６】
2012043263.tif 000009
【図７Ａ】
2012043263.tif 000010
【図７Ｂ】
2012043263.tif 000011
【図７Ｃ】
2012043263.tif 000012
【図８】
2012043263.tif 000013
【図９】
2012043263.tif 000014
【図１０】
2012043263.tif 000015